(57)【要約】【課題】Ｏ形便座とＵ形便座のいずれにでも適用できるうえ、便座カバーを便座に装着した状態において、便座カバーの外周縁の左右両側が便座からめくれるのを確実に解消できる筒型の便座カバーを提供する。【解決手段】丸筒状のカバー本体１と、カバー本体１の一端開口縁に固定される保形リング２と、カバー本体１の他端開口縁に固定されるゴムバンド３とを含む。カバー本体１の左右両側にストッパー５を設けて、便座カバーを便座Ｓに装着した状態において、カバー外周縁が便座上面側へめくれるのを阻止する。【選択図】　　　　図２
2004135911.tif 000002
【特許請求の範囲】
【請求項１】
丸筒状に編まれて伸縮性を有するカバー本体１と、カバー本体１の一端開口縁に配置される保形リング２と、カバー本体１の他端開口縁に縫着されるゴムバンド３とを含み、
便座Ｓに装着した状態において、便座Ｓの外周縁に引っ掛かるカバー外周縁の左右両側に、カバー外周縁が便座上面側へめくれるのを阻止する一対のストッパー５が設けられており、
ストッパー５は、便座Ｓの下面に接してカバー内周縁側へ向かう引張力に対向でき、
ストッパー５が、カバー本体１に対して着脱自在に装着されている共用型の便座カバー。
【請求項２】
ストッパー５が、便座Ｓの下面の外周縁に沿って配される棒状体５ａと、その外面に被覆した摩擦抵抗の大きなゴム層５ｂとからなり、
カバー本体１の外周縁に、ストッパー５の端部が着脱可能に差し込み装着される棒受片６を備えている請求項１記載の共用型の便座カバー。
【請求項３】
便座Ｓの下面の左右両側に、便器に受け止められる脚部１５が突設されており、
カバー本体１に設けたストッパー５を脚部１５に係止することにより、カバー外周縁のめくれを阻止できるようにした請求項１記載の共用型の便座カバー。
【請求項４】
丸筒状に編まれて伸縮性を有するカバー本体１と、カバー本体１の一端開口縁に配置される保形リング２と、カバー本体１の他端開口縁に縫着されるゴムバンド３とを含み、
Ｕ形便座に装着した状態において、左右の便座枠９の前端間においてカバー本体１の生地のたるみを防ぐ保形ピース１０が、カバー本体１の内面側に着脱可能に装着されるようにした共用型の便座カバー。
【請求項５】
カバー本体１の外周縁には、前部の下面に便座Ｓの前端下面を左右に横切る状態で便座前部に引っ掛けられる仮止具８が装着されている請求項４記載の共用型の便座カバー。
【請求項６】
保形ピース１０が、カバー本体１の生地の収縮力に逆らってカバー本体１を展張できるように構成されており、
便座Ｓの内縁下面に位置する保形リング２に、保形ピース１０を生地の収縮力に逆らって位置保持できるようにした請求項４または５記載の共用型の便座カバー。
【発明の詳細な説明】
【０００１】
【発明の属する技術分野】
本発明は、Ｏ形便座とＵ形便座のいずれにも共通して適用できる便座カバーに関する。
【０００２】
【従来の技術】
多くの場合、Ｕ形便座に適用される便座カバーは、一対の靴下の開口どうしを繋いだ構造になっており（特許文献１）、比較的簡単に便座に装着できる。Ｏ形便座に適用される便座カバーには、便座に被せ付けた平坦な生地をフック、ホック、面ファスナー等で止め付ける形態の平面型便座カバー（特許文献２）と、上下面が開口する無端筒状の筒型便座カバー（特許文献３）とがある。後者形態の便座カバーは、筒状に編まれた伸縮生地の片方の開口縁にゴムバンドを縫着し、他方の開口縁にリング状の保形枠を縫着しており、本発明の便座カバーも基本的にこれと同じカバー構造を採る。
【０００３】
【特許文献１】
特開２００１−６１７０８号公報（段落番号００２３、図８）
【特許文献２】
特開平１０−１７９４４９号公報（段落番号００２１、図２）
【特許文献３】
特開２００１−６１７０８号公報（段落番号００１４、図３）
【０００４】
【発明が解決しようとする課題】
従来の便座カバーは、便座の形状に応じてＯ形用と、Ｕ形用とが、それぞれ専用のカバーとして別々に用意されており、その構造の違いによって製造コストが異なる。製造時のコストが嵩むのは、縫製加工に多くの手間が掛かるＵ形便座用の便座カバーと、フックや面ファスナー等で止め付ける形態の、部品点数が多いＯ形用の便座カバーである。製造コストが最も少なくて済むのは、構造が簡単で縫製の手間も掛らない筒型便座カバーである。
【０００５】
販売店においては、上記のように構造が異なる各種の便座カバーを陳列することになり、広い陳列スペースを要し、売り場面積当りの商品販売額が小さくなる。商品在庫の管理も大変になるところに問題があった。
【０００６】
本発明者は、便座カバーの汎用性を高め、以て生産コストを削減し、更に小さな陳列スペースで済む便座カバーの開発を目的として、いくつかの試行錯誤を重ねた。具体的には、市販されている各メーカーのＯ形およびＵ形の各種の便座を入手し、これらの便座に筒型便座カバーを装着して、これの装着適合性とその装着のしやすさとをテストした。
【０００７】
その結果、Ｏ形便座であれば、外形形状の違いがあっても筒型便座カバーは問題なく装着できる。一方、Ｕ形便座の場合にも、使用に支障のない状態で筒型便座カバーを装着できることを確認した。つまり、筒型便座カバーは、便座の形状が特殊でない限り、全ての便座に共用できることを確認した。
【０００８】
しかし、筒型の便座カバーは、便座に装着した状態において、その外周縁部分が生地の伸縮力のみで便座の外縁下面に引っ掛かっているにすぎない。そのため、生地がカバー内縁側に向かって強く引っ張られると、生地外縁の前後中途部が便座上面側へめくれてしまう点に改善の余地があることに気付いた。例えば、尻幅が小さな幼児が着座した状態においては、カバー内縁側に体重が集中するため、生地外縁が便座からめくれて便器内へずるずると落ち込み、最悪の場合には、幼児が便座に嵌り込んでしまう可能性がある。
【０００９】
また、筒型便座カバーをＵ形便座に装着したとき、左右の便座枠が途切れる先端開離部分においてカバーがたるみ、体裁が悪く、見た目の印象が悪くなることを知った。
【００１０】
そこで本発明の目的は、Ｏ形便座とＵ形便座とのいずれにも適用でき、便座に装着した状態において、カバー外周縁の左右両側が便座からめくれを確実に解消できる筒型の便座カバーを提供することにある。本発明の目的は、従来の筒型便座カバーの形態を踏襲して、構造が簡単で製造コストが小さくて済み、さらに支障なく洗濯できる便座カバーを提供することにある。
【００１１】
本発明の他の目的は、筒型便座カバーをＵ形便座に装着する場合にも、左右の便座枠が途切れる先端開離部分においてカバー本体の生地がたるむのを解消して、外観上の体裁を向上することにある。
【００１２】
【課題を解決するための手段】
本発明の共用型の便座カバーは、図２に示すごとく丸筒状に編まれて伸縮性を有するカバー本体１と、カバー本体１の一端開口縁に配置される保形リング２と、カバー本体１の他端開口縁に縫着されるゴムバンド３とからなる。その便座カバーは、便座Ｓに装着した図１の状態において、便座Ｓの外周縁に引っ掛かるカバー外周縁の左右両側に、カバー外周縁が便座上面側へめくれるのを阻止する一対のストッパー５が設けられている。このストッパー５は、便座Ｓの下面に接してカバー内周縁側へ向かう引張力に対向でき、カバー本体１に対しては着脱自在に装着できるようになっている。
【００１３】
ストッパー５は、便座Ｓの下面の外周縁に沿って配される棒状体５ａと、その外面に被覆した摩擦抵抗の大きなゴム層５ｂとからなり、カバー本体１の外周縁に、ストッパー５の端部が着脱可能に差し込み装着される棒受片６を備えた形態にすることができる。
【００１４】
便座Ｓの下面の左右両側には、便器で受け止められる脚部１５が突設されており、この脚部１５を利用して、カバー本体１に設けたストッパー５を脚部１５に係止することにより、カバー外周縁のめくれを阻止できるようにすることができる。
【００１５】
また、本発明に係る共用型の便座カバーは、丸筒状に編まれて伸縮性を有するカバー本体１と、カバー本体１の一端開口縁に配置される保形リング２と、カバー本体１の他端開口縁に縫着されるゴムバンド３とからなる。そのうえで、図１に示すごとくＵ形便座に装着した状態において、左右の便座枠９の前端間において生地のたるみを防ぐための保形ピース１０が、カバー本体１の内面側に着脱可能に装着されるようにしたことを特徴とする。
【００１６】
その際、カバー本体１の外周縁には、前部の下面に便座Ｓの前端下面を左右に横切る状態で便座前部に引っ掛けられる仮止具８を装着することができる。
【００１７】
更に保形ピース１０は、カバー本体１の生地の収縮力に逆らってカバー本体１を展張できるように構成されており、便座Ｓの内縁下面に位置する保形リング２に、保形ピース１０を生地の収縮力に逆らって位置保持できるようにすることができる。
【００１８】
【発明の作用効果】
本発明の便座カバーは、基本的に筒型の便座カバーと同等の構成を採るので、Ｏ形便座とＵ形便座とのいずれにも適用でき、従来の筒型便座カバーと同程度の簡単な構造で足り、製造コストが小さくて済む。カバー本体１にストッパー５を設けて、カバー内縁側に着座荷重が集中する際の外力をストッパー５で受け止めるようにしたので、便座Ｓの外周縁の下面両側に引っ掛かるカバー外周縁が、先の着座荷重を受けて便座上面側へ引きずられてめくれるのを確実に阻止し、とくに幼児も安心して使用できる。便座カバーを洗濯する場合には、ストッパー５をカバー本体１から取り外して、カバー本体１のみを洗濯できるので、ストッパー５によって他の洗濯物が傷むのを防止できる。
【００１９】
ストッパー５が、便座Ｓの下面壁の周縁に沿って配置される棒状体５ａと、その外面に被覆した摩擦抵抗の大きなゴム層５ｂとからなる形態によれば、便座Ｓとゴム層５ｂとの間の摩擦抵抗を大にして、着座荷重を受ける際のストッパー５の移動がさらに確実に防止され、便座カバーの安全度をさらに向上できる。カバー本体１の左右に棒受片６をそれぞれ設けておき、これらの棒受片６に対して各ストッパー５の端部を着脱可能に差し込み装着できるようにしてあると、洗濯などの際のカバー本体１に対するストッパー５の着脱が簡単に行える。
【００２０】
便座Ｓの下面側に設けられる脚部１５を利用してストッパー５を係止固定し、以てカバー外周縁のめくれを阻止できるようにした便座カバーによれば、ストッパー５が脚部１５から外れない限り、着座荷重に抗してカバー外縁を位置保持し、そのめくれを確実に防止できる。
【００２１】
カバー本体１の内面に、生地のたるみを防ぐための保形ピース１０を備えた便座カバーによれば、左右の便座枠９の前端間において、カバー本体１の伸縮生地を保形ピース１０で受け止めて緊張させることができるので、便座カバーをＵ形便座に装着した状態においても、左右の便座枠９の前端間で生地がたるむのを解消して、外観上の体裁を向上できる。保形ピース１０はカバー本体１に対して着脱できるので、洗濯などの際に保形ピース１０をカバー本体１から簡単に取り外すことができる。
【００２２】
カバー本体１の外周縁の前部の下面に仮止具８を設けた便座カバーによれば、仮止具８を便座Ｓの前部に引っ掛けて、便座カバーの一端を仮固定した状態でカバー本体１を便座Ｓに被せ付けることができるので、従来の筒型便座カバーに比べて、便座Ｓに対してより少ない手間で簡単に、しかも確実に装着できる。
【００２３】
先の保形ピース１０を保形リング２で受け止め、さらにカバー本体１の生地の収縮力を利用して保形ピース１０を保形リング２に押し付けることにより、保形ピース１０の装着姿勢を保持できるようにした便座カバーによれば、保形ピース１０を支えるための構造をカバー本体１側に設ける必要がないので、その分だけ便座カバーの構造を簡素化して全体コストを抑止できるうえ、常に安定した状態で保形ピース１０の装着状態を維持し続けることができる。
【００２４】
【実施例】
図１ないし図７は本発明に係る便座カバーの第１実施例を示す。図２において、便座カバーは、丸筒状に編まれて伸縮性を有するカバー本体１と、カバー本体１の下端開口縁に配置固定される保形リング２と、カバー本体１の上端開口縁に縫着されるゴムバンド３とからなる。
【００２５】
保形リング２は、プラスチック線材を輪にして、線材の端部どうしを連結パイプで固定して形成してあり、カバー本体１の下縁を折り返して縫着する際に、生地下縁により包んだ状態で固定される。
【００２６】
カバー本体１は、便座Ｓに対して、図３に示すごとく保形リング２を便座Ｓの内縁下面に押し込んで引っ掛け、カバー本体１の外周縁を便座Ｓの外周縁下面に引っ掛けて装着することができる。この装着状態において、便座Ｓの外周縁の下面の左右両側に引っ掛かるカバー外周縁が、便座Ｓの上面側へめくれるのを阻止するために、カバー本体１の下面の左右両側に一対のストッパー５が設けられている。後述するように、便座カバーの装着手順は、カバー本体１を便座Ｓに被せ付けた後、保形リング２を便座Ｓの内縁下面に押し込んで引っ掛ける手順に従ってもよい。
【００２７】
図１、図４および図５において、ストッパー５は、便座Ｓの下面の外周縁に沿って配置される、プラスチック製の棒状体５ａと、その外面に被覆した摩擦抵抗の大きなゴム層５ｂとからなり、カバー本体１に対して着脱可能に装着できる。カバー本体１の外周縁の左右には、前後に袋状の棒受片６を縫着してあり、各棒状体５ａの一端を片方の棒受片６に差し込み装着した後、棒状体５ａを撓ませながらその他端を他方の棒受片６に差し込むことにより、ストッパー５をカバー本体１と一体化する。ストッパー５を取り外す場合には、装着時とは逆の手順に従う。
【００２８】
カバー本体１を便座Ｓに装着した状態において、ストッパー５はカバー本体１の生地を前後に突っ張って伸張させており、この突っ張力と生地の収縮力とによってゴム層５ｂが便座Ｓの左右両側縁の円弧周縁より内側に位置して、便座Ｓの下面に密着する。そのため、カバー本体１に便座Ｓの内縁側へ引きずられる外力が作用しても、ストッパー５は外力に抗してその位置を保持し、カバー本体１の外周縁が便座Ｓの上面側へめくれ上がるのを確実に防止する。
【００２９】
カバー本体１の外周縁には前部の下面に仮止具８が設けられている。図６および図７において、仮止具８は非伸縮性のテープ、紐、あるいは縫着可能なプラスチックシートをカバー本体１に縫着して形成してあり、便座Ｓの前端下面を左右に横切る状態で、便座Ｓの前部に引っ掛けて装着する。
【００３０】
このように、仮止具８を便座Ｓの前部に引っ掛けた後、カバー本体１を便座Ｓに被せ付けると、便座Ｓに仮装着したカバー本体１がずれ動くのを確実に防止できるので、便座カバーの便座Ｓに対する取り付けが少ない手間で簡単に行え、保形リング２を便座Ｓの内縁下面に押し込んで引っ掛ける操作も簡便に行える。このようにして、カバー本体１を便座Ｓに装着した後、便座Ｓを起立姿勢にした状態で先のストッパー５をカバー本体１に取り付けると、一連の装着作業を手際よく行うことができる。
【００３１】
便座カバーをＵ形便座に装着する場合には、左右の便座枠９・９の前端間において、生地が収縮してたるんでしまう。このたるみを除去して、外観上の体裁を向上するために、カバー本体１の前端内面に装着される保形ピース１０を備えている。図６および図７において保形ピース１０は、花弁状に打抜いた２枚のプラスチック製のシート１１を重ねて、両シート１１の前側の円弧周縁１２と左右側縁を縫着ないし溶着した鞘状体からなり、円弧周縁１２と対向する後ろ側の周縁に開口１３を設けてある。
【００３２】
円弧周縁１２は左右の便座枠９・９の先端間を余裕を持って橋絡できる長さになっており、しかも便座枠９の先端どうしを滑らかに連続させる部分円弧、あるいは湾曲線に形成されている。この円弧周縁１２を便座Ｓの前端に引っ掛けられたカバー本体１の内面に宛がった後、図７に示すように保形ピース１０の開口１３を、便座Ｓの内縁下面側に位置する保形リング２の前端に被せ付けることにより、保形ピース１０を生地の伸縮力で保形リング２に押し付けてぐらつきのない状態で支持できる。
【００３３】
図８および図９はストッパー５の第２実施例を示す。便座Ｓの下面の左右両側には、メーカーの如何にかかわらず、便器で受け止められる前後一対の脚部１５が突設されている。この第２実施例では、カバー本体１に装着したストッパー５を脚部１５に係止して、カバー外周縁が便座Ｓの上面側へめくれるのを阻止している。
【００３４】
この場合のストッパー５は、脚部１５に係止される棒状体５ａと、基端側が棒状体５ａの中央に固定した舌片１６と、舌片１６の先端側およびカバー本体１にそれぞれ縫着した雌雄一対の面ファスナー１７・１８とで構成し、面ファスナー１７・１８を着脱することにより、ストッパー５をカバー本体１に対して着脱できるようにした。
【００３５】
図８に示すように、カバー本体１を便座Ｓに装着した後、ストッパー５の棒状体５ａを脚部１５に係止し、カバー本体１を引き寄せた状態で面ファスナー１７・１８を接合すると、脚部１５とカバー本体１との間隔の違いを吸収して、カバー本体１を適正に固定できる。なお、カバー本体１の生地表面にループが形成してある場合には、舌片１６側の面ファスナー１７を雄型の面ファスナーで形成して、カバー本体１へ直接に接続することができる。
【００３６】
図１０および図１１は保形ピース１０に関する本発明の第３実施例を示す。そこでは、保形ピース１０を湾曲形状に折り曲げた棒で形成し、その左右両端をカバー本体１に縫着した棒受片２０で着脱自在に受け止めて、左右の便座枠９・９の前端間におけるシート本体１の生地を展張できるようにしてある。
【００３７】
上記の実施例以外に、脚部１５を利用して固定するストッパー５は、各脚部１５ごとに個別に係止する形態を採ることができる。棒受片６・２０は、袋構造である必要はなく、例えば一対の面ファスナーの片方をストッパー５に固定し、他方をカバー本体１の固定して棒受片とすることができる。
【００３８】
保形ピース１０は、左右の便座枠９・９の前端間を湾曲する状態で橋絡する断面Ｕ字状のプラスチック成形品でキャップ状に構成することができるし、保形ピース１０の全体が厚紙製であってもよい。
【図面の簡単な説明】
【図１】便座に便座カバーを装着した状態での底面図
【図２】自由状態における便座カバーの斜視図
【図３】便座カバーの装着状態を示す便器全体の斜視図
【図４】図１におけるＡ−Ａ線断面図
【図５】図１におけるＢ−Ｂ線断面図
【図６】保形ピースの使用状態を示す要部の一部破断底面図
【図７】図６におけるＣ−Ｃ線断面図
【図８】ストッパーの第２実施例を示す要部の正面図
【図９】図８におけるＤ−Ｄ線断面図
【図１０】保形ピースの第３実施例を示す一部破断正面図
【図１１】図１０におけるＥ−Ｅ線断面図
【符号の説明】
１　カバー本体
２　保形リング
３　ゴムバンド
８　仮止具
１０　保形ピース
Ｓ　便座
【図１】
2004135911.tif 000003
【図２】
2004135911.tif 000004
【図３】
2004135911.tif 000005
【図４】
2004135911.tif 000006
【図５】
2004135911.tif 000007
【図６】
2004135911.tif 000008
【図７】
2004135911.tif 000009
【図８】
2004135911.tif 000010
【図９】
2004135911.tif 000011
【図１０】
2004135911.tif 000012
【図１１】
2004135911.tif 000013